(57)【特許請求の範囲】
【請求項１】
人体の所定部位を覆う形状に形成したシート体であって所定の形状に一回以上折り畳んで収納されるパック用シートにおいて、
最初に折り畳んだ際の積層した周縁部のそれぞれにおける互いに異なる位置に延出部を形成したことを特徴とするパック用シート。
【請求項２】
１回以上折り畳んだ状態で液体を含浸する吸水性シート体であることを特徴とする請求項１に記載のパック用シート。
【発明の詳細な説明】
【０００１】
【発明の属する技術分野】
この発明は、複数枚を積層して収納される紙または不織布等のシート体からなるパック用シートに関する。
【０００２】
【従来の技術】
天気のよい日に人が炎天下に居ると、太陽光線に含まれる紫外線を肌に受ける。その影響で肌が焼けて、赤く火照った軽い火傷の状態になることがある。肌の火照りを押さえるために、化粧水などを十分に肌に塗布させておくと効果的である。また、冬など空気が乾燥した状態の際には、肌が乾燥し、化粧をする時に、化粧ののりが悪くなることある。そこで、就寝前などに肌に潤いを持たせるために、化粧水を塗布する。化粧水の湿潤作用等を効果的に得るためには、化粧水を十分に肌に接触させておく必要がある。
【０００３】
そこで、化粧水などを含浸させたパック用シートを顔や腕などにかぶせて顔の肌の手入れを行う方法が知られている。このパック用シートは、紙または不織布等の吸水性の高いシート体を素材とする。使用部位に応じて、その部位を覆うのに適当な形状に加工する。例えば、顔面用には、顔全体が覆える直径２００〜３００ｍｍの円形のシートに目、鼻及び口があたる部分を切り欠いた形状に形成したものを使用する。腕や肩用には、一辺が１００ｍｍ前後の四角形に形成したものを使用する。
【０００４】
図５は従来のパック用シートである顔面用のパック用シート４１を示す図である。パック用シート４１は、吸水性の高い紙をほぼ円形に切り取って構成されている。パック用シート４１において、目、鼻及び口に接触する部分に切欠４２ａ〜４２ｃを形成し、目及び鼻に接触する部分に、切り込み４３ａ，４３ｂを形成する。切欠４２ａ〜４２ｃおよび切り込み４３ａ，４３ｂは、化粧水等を含浸したパック用シート４１を顔にかぶせた際に、視界を完全に塞ぐことがなく、また、自由に呼吸できるようにするために形成されている。パック用シート４１の周囲には、複数の切り込み４４を形成している。この切り込み４４は、平面状のパック用シート４１を複数の曲面によって構成される顔の肌に密着させるためのものである。
【０００５】
顔面用のパック用シート４１のように広い範囲を覆うパック用シートに、拡げた状態で化粧水などの液体を含浸させるより、折り畳んだり圧縮して小型化した方が、全体に均一に含浸させやすい。また、運搬時も小型化したパック用シートだと、大量に運搬できて扱いやすい。そこで、単体での形状が収納する容器や袋より大きい場合は、折り畳み、複数枚を積層して容器や袋に収納する。パック用シートを折り畳んだ後に、圧縮して容器や袋に収納することもある。また、単体での形状が収納する容器や袋より小さい場合は、折り畳まずにそのまま複数枚を積層して収納する。以下に、収納方法の具体例を示す。
【０００６】
(1) 使用者がパック用シートに化粧水などの液体を含浸させて使う場合。
パック用シートが収納する容器や袋より大きい場合、単品を所定の回数折り畳み、収納する容器や袋とほぼ同じサイズか、それより小さいサイズにし、複数枚積層して容器や袋に収納する。また、パック用シートが収納する容器や袋より小さい場合、折り畳まずに複数枚積層して容器や袋に収納する。
【０００７】
図６は、顔面用のパック用シート４１の折り畳み例を示す図である。図６（Ａ）〜（Ｃ）中において破線で示す位置で折り、図６（Ｄ）に示すサイズにして容器や袋に収納する。
【０００８】
図７（Ａ）は、肩や腕用の正方形のパック用シート５１を積層した図である。図７（Ｂ）はまぶた用の雲形のパック用シート６１を積層した図である。どちらも収納する容器や袋より小さいので、折り畳まずにそのままの状態で、パック用シートの各辺や周縁がずれないように一致させて、複数枚積層して容器や袋に収納する。
【０００９】
使用者は、容器や袋からパック用シートを取り出し化粧水などを含浸させて、折り畳んだパック用シート４１の場合は拡げて使用する。また、折り畳んでいないパックシート５１または６１の場合は、積層したパック用シートを１枚ずつ取り外して使用する。
【００１０】
(2) 使用者が化粧水などの液体が含浸させてあるパック用シートを使う場合。
パック用シートが収納する袋より大きい場合、単品を所定の回数折り畳み、収納する袋とほぼ同じサイズか、それより小さいサイズにする。例えば、顔面用のパック用シートを、図６（Ｄ）に示した形状に折り畳む。また、パック用シートが収納する袋より小さい場合は、折り畳まない。そして、パック用シートを複数枚積層するか、または一枚だけで、化粧水などの液体を含浸させて、アルミ製などの袋に収納して密封する。さらに、パック用シートを収納した袋を、一枚または複数枚単位で、容器や袋に収納する。
【００１１】
使用者は、袋からパック用シートを取り出し、折り畳んであるパック用シートの場合は拡げて使用する。また、折り畳んでいないパックシートの場合は、積層してあれば、一枚ずつ取り外して使用する。一枚が袋に収納されているのならば、そのまま使用する。
【００１２】
(3) 使用者が圧縮加工したパック用シートに化粧水などの液体を含浸させて使う場合。
顔面用のパック用シートを例に挙げて説明する。パック用シートを直径約１５〜２０ｍｍ、高さ約５〜１０ｍｍ程度の円柱状に圧縮加工する。この圧縮加工の方法の例を、図８に示す。
【００１３】
図８は、顔面用のパック用シート４１を折り畳んだ後に圧縮する方法を示す図である。以下に手順を示す。
(a) 吸水性の高い紙である用紙３４（図８（Ａ））を複数枚重ねる。
(b) 型抜き加工によりパック用シート４１が取り外せるように用紙３４を切断する（図８（Ｂ））。
(c) 用紙３４から切り取られたパック用シート４１を図８（Ｃ）〜（Ｆ）中において破線で示す位置で折る。
(d) 図８（Ｇ）中の矢印で示す方向に円柱状に巻き取る。
(e) 図８（Ｈ）中の矢印で示す方向に圧縮する。
(f) 図８（Ｉ）に示す直径約１０〜２０ｍｍ、高さ約５〜１０ｍｍの円柱状に成形する。
【００１４】
なお、図８（Ｇ）の巻き取り時に巻き終り部分を折り返しておくことにより、パック用シート４１を拡げ始めるべき部分を容易に見出すことができる。圧縮加工されたパック用シート４１は、特許第２７９０１７０号公報に示されたローションマスク販売用ケースや他の形状の容器などに収納する。
【００１５】
使用者は、
(a) 図８（Ｉ）に示す圧縮状態のパック用シート４１に化粧水などの液体を含浸させる。
(b) パック用シート４１は、半径方向及び高さ方向に膨張する。
(c) 図８（Ｈ）に示した圧縮前の状態に復元する。
(d) 円柱状に巻き取ったパック用シート４１を拡げる。
(e) 図８に示す（Ｇ）の状態から（Ｆ）→（Ｅ）→（Ｄ）→（Ｃ）の手順でパック用シート４１を拡げていく。
(f) 拡げたパック用シートを、顔にかぶせて使用する。
【００１６】
【発明が解決しようとする課題】
従来の単品のパック用シートを所定の回数折り畳み、積層部を形成したパック用シートや複数枚積層したパック用シートは、紙または不織布等のシート体が積層しているため、特に化粧水などの液体が含浸させてあると、積層しているパック用シートは密着する。そのため、パック用シートの端部から容易に剥がしたり、拡げたりすることができず、パック用シートの端部以外の部分を無理に拡げようとしてパック用シートを破ってしまう等の問題があった。
【００１７】
図９は、パック用シートを少しずつずらして積層部を形成する方法を示す図である。図９に示す方法は、図７（Ａ）に示した積層方法を改良した方法である。図９において、正方形のパック用シート７１ａの一辺全域で所定の幅を持つ端部７２ａにおいては、下部のパック用シート７１ｂと積層していないが、その他の部分においては、積層して密着している。他のパック用シート７１ｂ〜７１ｄにおいても、同様の状態で積層している。そのため、端部７２ａを指でつまんでパック用シート７１ａをめくるように剥がすと、パック用シート７１ａを取り外すことができる。したがって、図７（Ａ）に示した積層したパック用シート５１より、パック用シートを取り外しやすい。しかし、端部７２ａを指でつまんだ時に、パック用シート７１ａの端部７２ａ以外では、パック用シート７１ｂと密着しているため、パック用シート７１ａを簡単に取り外すことができない。つまり、積載方法を変更するだけでは、簡単にパック用シートを取り外すことは、難しい。
【００１８】
この発明の目的は、積層した状態のパック用シートから１枚取り外す際や、折り畳んだパック用シートを拡げる際に、その端部を容易に見つけることができ、破損を生じることなく確実に使用することができるパック用シートを提供することにある。
【００１９】
【課題を解決するための手段】
この発明は、上記の課題を解決するための手段として、以下の構成を備えている。
【００２０】
(1) 人体の所定部位を覆う形状に形成したシート体であって所定の形状に一回以上折り畳んで収納されるパック用シートにおいて、
最初に折り畳んだ際の積層した周縁部のそれぞれにおける互いに異なる位置に延出部を形成したことを特徴とする。
【００２５】
この構成においては、延出部は、最初に折り畳まれるとともに最後に拡げられる積層した周縁のそれぞれの互いに重ならない位置に形成している。したがって、パック用シートを最後に拡げる際に、１枚のシートの一部が他の部分に密着して拡げにくいが、２つの延出部のそれぞれを左右の手の指でつまめば、密着した部分を、簡単に拡げることができ、延出部以外の部分を引張ってパック用シートを破損してしまうことを確実に防止することができる。
【００２６】
(2) (1) のパック用シートにおいて、１回以上折り畳んだ状態で液体を含浸する吸水性シート体であることを特徴とする。
【００２７】
この構成においては、化粧水などの液体を含浸して折り畳まれたシート体の周縁に延出部が形成される。したがって、液体を含浸することによって密着性を増したパック用シートにおいて、それぞれの延出部を左右の手の指でつまんで引張ることにより、容易に拡げられる。
【００２８】
【発明の実施の形態】
図１は、パック用シートを示す図である。このパック用シートは、複数枚を積層した状態で、化粧水などの液体を含浸させて包装容器、または包装袋に収納される。図１（Ａ）に、肩や腕用の正方形のパック用シート１ａ〜１ｄの積層状態を示す。図１（Ｂ）に、まぶた用の雲形のパック用シート１１ａ、１１ｂの積層状態を示す。図１（Ａ）、（Ｂ）に示したパック用シート１ａ〜１ｄ、１１ａ、１１ｂは、図７に示したパック用シート５１、６１にそれぞれ延出部を形成したものである。
【００２９】
図１（Ａ）において、パック用シート１ａ〜１ｄのそれぞれの一辺における互いに異なる位置に、それぞれ延出部２ａ〜２ｄを形成している。パック用シート１ａ〜１ｄは、延出部２ａ〜２ｄを同方向に向けて、それぞれ各辺がずれないように一致させて積層されている。パック用シート１ａ〜１ｄをこのように積層した際に、延出部２ａ〜２ｄは、パック用シート１ａ〜１ｄのそれぞれの辺において互いに異なる位置に形成されているため、互いに重なることがない。
【００３０】
一枚のパック用シート１ａを使用する場合、使用者は、以下の手順で行う。
【００３１】
(a) 容器や袋からパック用シート１ａ〜１ｄを取り出す。
(b) パック用シート１ｂの延出部２ｂを一方の手で持つ。
(c) パック用シート１ａの延出部２ａを他方の手の指でつまんで引き上げて、パック用シート１ａを取り外す。
(d) パック用シート１ａを人体の所定部位に密着させる。
積層されている他のパック用シート１ｂ、１ｃを使用する場合も、上記の手順を行えば良い。
【００３２】
図１（Ｂ）において、パック用シート１１ａ、１１ｂの周縁における互いに異なる位置に、それぞれ延出部１２ａ、１２ｂを形成している。パック用シート１１ａ、１１ｂは、互いに周縁がずれないように一致させて積層している。パック用シート１１ａ、１１ｂをこのように積層した際に、延出部１２ａ、１２ｂは、パック用シート１１ａ、１１ｂのそれぞれの周縁において互いに異なる位置に形成されているため、互いに重なることがない。
【００３３】
パック用シート１１ａ、１１ｂを使用する場合、使用者は、以下の手順で行う。
(a) 容器や袋からパック用シート１１ａ・１１ｂを取り出す。
(b) パック用シート１１ｂの延出部１２ｂを一方の手で持つ。
(c) パック用シート１１ａの延出部１２ａを他方の手の指でつまんで引き上げて、パック用シート１１ａを剥がす。
(d) パック用シート１１ａ・１２ａをまぶたに密着させる。
【００３４】
上記のように、従来化粧水などの液体を含浸させると、積層して互いに対向した面は密着するため剥がしにくいが、パック用シートの周縁に延出部を形成し、対向して積層するパック用シートのそれぞれの延出部を指でつまむと、簡単にパック用シートを取り外すことができる。
【００３５】
なお、パック用シートが容器や袋に入った状態の時に、化粧水などの液体が含浸されていない場合は、パック用シート１ａ〜１ｄ、または、１１ａ・１１ｂ全てに液体を含浸させてからパック用シート１ａまたは１１ａを取り外しても、パック用シート１ａまたは１１ａを取り外してからパック用シート１ａ、または１１ａ・１１ｂに液体を含浸させてもどちらでも良い。
【００３６】
また、図１（Ａ）に示した正方形のパック用シート１ａ〜１ｄでは、それぞれ異なる位置に延出部を形成したが、パック用シートが、円や正多角形などの点対称な形状の場合、対称点を中心にして周縁に形成した延出部を少しずつずらして積層すれば、延出部は互いに重なることはない。したがって、点対称な図形の場合は、延出部をそれぞれ異なる位置に形成しなくても、延出部が互いに重ならないように複数枚のパック用シートを積層することができる。
【００３７】
また、図１（Ｂ）に示したパック用シート１１ａ・１１ｂを、接続部を介して互いに連結した状態で２枚１組として型抜き加工してもよい。このように２枚１組として型抜き加工されたパック用シート１１ａ・１１ｂを接続部で折り畳むことにより、互いの延出部１２ａ・１２ｂが重ならない状態で、２枚のパック用シート１１ａ・１１ｂを積層する作業を容易に行うことができる。また、製造時に誤って３枚以上をセットにすることがない。パック用シート１１ａ・１１ｂの間の接続部は、製造時に切り離して容器や袋に収納するか、または、使用時に切り離しても良い。
【００３８】
図２は、別のパック用シートを示す図である。このパック用シートは、２回折り畳んだ状態で化粧水などの液体を含浸させて梱包袋に収納される。正方形のパック用シート２１の３辺の角部付近に、延出部２２〜２４が形成されている。延出部２２および延出部２３は、パック用シート２１の互いに直交する辺のそれぞれにおける一端に接して形成されている。延出部２４は、延出部２２が形成されている辺と平行な辺において一端から離れた位置に形成されている。したがって、パック用シート２１を図２（Ａ）および（Ｂ）に示す破線部分で２回折り畳んだ際に、延出部２２〜２４は、互いに重なることがない。そして、パック用シート２１を、周縁部の互いに異なる位置から延出部２２〜２４が延出した状態で、容器または袋に収納する。
【００３９】
パック用シート２１を使用する場合は、以下の手順で行う。
(a) 図２（Ｃ）に示す状態のパック用シート２１を容器や袋から取り出す。
(b) 図２（Ｃ）に示すパック用シート２１の延出部２２を一方の手の指でつまみ、延出部２３を他方の手の指でつまんでパック用シート２１を拡げて、図２（Ｂ）の状態にする。
(c) 延出部２２を一方の手の指でつまみ、延出部２４を他方の手の指でつまんでパック用シート２１を拡げて、図２（Ａ）の状態にする。
(d) パック用シート２１を人体の所定の部位に密着させる。
上記のように、少なくとも一回以上折り畳んだ際に重ならないような位置に延出部を形成すると、簡単にパック用シートを拡げることができる。
【００４０】
なお、パック用シート２１が容器や袋に入った状態の時に、化粧水などの液体が含浸されていない場合は、液体を含浸させてからパック用シート２１を拡げても、パック用シート２１を拡げてから液体を含浸させても、どちらでも良い。
【００４１】
図３は、この発明の実施形態に係るパック用シートとその折り畳み方法を示す図である。この実施形態に係るパック用シートは、所定の回数折り畳んだ状態で化粧水などの液体を含浸させて梱包袋に収納するか、または、所定の回数折り畳んだ後に圧縮して、容器や袋に収納する。パック用シート３１は、図５に示した従来の顔面用のパック用シート４１の周縁に延出部３２・３３を形成したものである。図３（Ｃ）に示すパック用シート３１において、破線３５で折り畳み、図３（Ｄ）に示すように半円部３６、３７が対向して積層した際に、周縁に形成した延出部３２・３３は、互いに重ならない位置に形成されている。
【００４２】
顔面用パック用シート３１の折り畳み・圧縮方法の手順を以下に示す。
(a) 吸水性の高い紙である用紙３４（図３（Ａ））を複数枚重ねる。
(b) 型抜き加工によりパック用シート３１が取り外せるように用紙３４を切断する（図３（Ｂ））。
(c) 用紙３４から切り取られたパック用シート３１を図３（Ｃ）〜（Ｅ）中において破線で示す位置で折り、図３（Ｆ）の状態まで折り畳む。アルミ製などの袋に入れて収納する場合は、図３（Ｆ）の状態で袋に収納する。
【００４３】
圧縮する場合は、さらに以下の手順を行う。
(d) 図３（Ｇ）中の矢印で示す方向に円柱状に巻き取る。
(e) 図３（Ｈ）中の矢印で示す方向に圧縮する。
(f) 図３（Ｉ）に示す直径約１０〜２０ｍｍ、高さ約５〜１０ｍｍの円柱状に成形する。
ここで、図３（Ｇ）の巻き取り時に巻き終り部分を折り返しておくことにより、パック用シート３１を拡げ始めるべき部分を容易に見出すことができる。圧縮加工されたパック用シート３１は、特許第２７９０１７０号公報に示されたローションマスク販売用ケースや他の形状の容器などに収納する。
【００４４】
折り畳んで、化粧水などの液体を含浸させてあるパック用シート３１を使用する場合は、以下の手順を行う。
(a) 収納している袋から、図３（Ｆ）に示す折り畳まれたパック用シート３１を取り出す。
(b) 図３（Ｆ）の状態から（Ｅ）→（Ｄ）の手順でパック用シート３１を拡げていく。
(c) 図３（Ｄ）において、延出部３２を一方の手で持ち、延出部３３を他方の手で持ち、パック用シート３１を拡げる。
(d) 化粧水を含浸したパック用シート３１を、顔面にかぶせる。
【００４５】
圧縮してあるパック用シート３１を使用する場合は、以下の手順で拡げる。
(a) 容器や袋から図３（Ｉ）に示す圧縮状態のパック用シート３１を取り出す。
(b) 圧縮状態のパック用シート３１に化粧水などの液体を含浸させる。
(c) パック用シート３１は、半径方向及び高さ方向に膨張する。
(d) 図３（Ｈ）に示した圧縮前の状態に復元する。
(e) 円柱形状のパック用シート３１の巻き取り時に、巻き終りを折り返した部分を指でつまんで拡げる。
(f) 図３（Ｇ）の状態から（Ｆ）の状態に拡げる。
(g) 図３（Ｆ）の状態から（Ｅ）→（Ｄ）の手順でパック用シート３１を拡げていく。
(h) 図３（Ｄ）において、延出部３２を一方の手で持ち、延出部３３を他方の手で持ち、パック用シート３１を拡げる。
(i) 化粧水を含浸したパック用シート３１を、顔面にかぶせる。
【００４６】
ここで、同図（Ｅ）〜（Ｇ）の状態では、パック用シート３１の周縁部の一部には、折曲部が袋状になっている部分があるため、容易に折曲部を指でつまんで拡げることができる。同図（Ｄ）の状態では、パック用シート３１の周縁部において、積層して互いに対向した半円部３６、３７の端部は、含浸した液体によって互いに密着している。そのため、従来は拡げにくかったが、延出部３２・３３のそれぞれを左右の手の指でつまんで拡げれば簡単に同図（Ｃ）の状態に拡げることができる。
【００４７】
上記のように、延出部を、最初に折り畳まれるとともに最後に拡げられる積層した周縁のそれぞれの互いに異なる位置に形成されているので、最初に折り畳んで、密着して積層しているパック用シートは、２つの延出部のそれぞれを左右の手の指でつまめば容易に拡げることができる。
【００４８】
図３（Ｂ）において、従来、用紙１１から型抜き加工によりパック用シート３１を切り取った残りの部分である枠３８は廃棄処理をしていたが、パック用シート３１に延出部３２・３３を形成しても、枠１２の廃棄する部分が減るだけで材料が更に必要になるわけではないので、コストが上昇することはない。
【００４９】
なお、パック用シートの周縁に形成する延出部の形状は、指でつまみやすい形状であれば良く、図１〜３に示した半楕円形状や四角形状などに限るものではない。また、図１〜３に示したパック用シートの周縁部に形成したそれぞれの延出部の形成位置は、図に示した位置に限るものではない。また、形成する延出部の個数は、図に示した個数に限るものではない。
【００５０】
また、パック用シートの周縁に形成した複数の延出部に、記号や番号を印刷する方法、着色する方法、および延出部の形状をそれぞれ異なる形状にする方法などを用いることにより、複数回折り畳んであるパック用シートを拡げる際の手順が、簡単に把握できて、パック用シートを容易に拡げられるようにすることができる。
【００５１】
図４は、パック用シートの周縁に形成する複数の延出部をそれぞれ異なる形状にした例を示す図である。図４に示したパック用シート２１ａは、図２に示したパック用シート２１に延出部２５を追加し、延出部２３の形状を変更して延出部２３ａにしたものである。このパック用シート２１ａは、２回折り畳んだ状態で化粧水などの液体を含浸させて梱包袋に収納される。正方形のパック用シート２１の各辺の角部付近に、延出部２２、２３ａ、２４、２５が形成されている。延出部２２、２４の形状は四角形に、延出部２３ａ、２５の形状は三角形に形成されている。延出部２２および延出部２３ａは、パック用シート２１の互いに直交する辺のそれぞれにおける一端に接して形成されている。また、延出部２４は、延出部２２が形成されている辺と平行な辺において一端から離れた位置に形成されている。さらに、延出部２５は、延出部２３ａが形成されている辺と平行な辺において一端から離れた位置に形成されている。したがって、パック用シート２１ａを図２（Ａ）および（Ｂ）に示す破線部分で２回折り畳んだ際に、延出部２２、２３ａ、２４、２５は、互いに重なることがなく、パック用シート２１ａは、周縁部の互いに異なる位置から延出部２２、２３ａ、２４、２５が延出した状態で、容器または袋に収納する。
【００５２】
パック用シート２１ａを使用する場合は、以下の手順で拡げる。
(a) 図４（Ｃ）に示すパック用シート２１ａを容器や袋から取り出す。
(b) 図４（Ｃ）に示すパック用シート２１ａの延出部２５を一方の手の指でつまみ、延出部２３ａを他方の手の指でつまんでパック用シート２１ａを拡げて、４２（Ｂ）の状態にする。
(c) 延出部２２を一方の手の指でつまみ、延出部２４を他方の手の指でつまんでパック用シート２１ａを拡げて、図２（Ａ）の状態にする。
(d) パック用シート２１ａを使用したい体の部位に密着させる。
【００５３】
上記のように、パック用シートの周縁に形成した複数の延出部の形状をそれぞれ異なる形状にすると、複数回、折り畳んであるパック用シートを拡げる手順が簡単に把握できて、パック用シートを容易に拡げられるようにすることができる。
【００５４】
【発明の効果】
この発明によれば、以下の効果が得られる。
【００５７】
(1) 延出部を、最初に折り畳まれるとともに最後に拡げられる積層した周縁のそれぞれの互いに重ならない位置に形成することにより、パック用シートを最後に拡げる際に、１枚のシートの一部が他の部分に密着して拡げにくいが、２つの延出部を左右の手の指でつまめば、密着した部分を、簡単に拡げることができ、延出部以外の部分を引張ってパック用シートを破損してしまうことを確実に防止することができる。
【００５８】
(2) 化粧水などの液体を含浸して折り畳まれたシート体の周縁に延出部を形成することにより、液体を含浸することによって密着性を増したパック用シートが、それぞれの延出部を左右の手の指でつまんで引張ることにより、容易に拡げることができる。
【図面の簡単な説明】
【図１】パック用シートを示す図である。
【図２】別のパック用シートを示す図である。
【図３】この発明の実施形態に係るパック用シートとその圧縮方法を示す図である。
【図４】パック用シートの周縁に形成する複数の延出部をそれぞれ異なる形状にした例を示す図である。
【図５】従来のパック用シートである顔面用のパック用シートを示す図である。
【図６】従来のパック用シートである顔面用のパック用シートの折り畳み方法を示す図である。
【図７】従来のパック用シートである腕・肩用のパック用シートとまぶた用のパック用シートの積層方法を示す図である。
【図８】従来のパック用シートである顔面用のパック用シートの圧縮方法を示す図である。
【図９】従来のパック用シートである腕・肩用のパック用シートの別の積層方法を示す図である。
【符号の説明】
１ａ〜１ｄ、１１ａ、１１ｂ、２１、２１ａ、３１、４１、５１、６１、７１ａ〜７１ｅ−パック用シート
２ａ〜２ｄ、１２ａ〜１２ｂ、２２〜２４、２３ａ、２５、３２、３３−延出部
３４−用紙
３５−破線
３６、３７−半円部
３８−枠
４２ａ〜４２ｃ−切欠
４３ａ，４３ｂ、４４−切り込み
７２〜７２ｄ−端部
【図１】
0003660161.tif 000002
【図２】
0003660161.tif 000003
【図３】
0003660161.tif 000004
【図４】
0003660161.tif 000005
【図５】
0003660161.tif 000006
【図６】
0003660161.tif 000007
【図７】
0003660161.tif 000008
【図８】
0003660161.tif 000009
【図９】
0003660161.tif 000010